【事件の表示】
　特願２０００−２８７４４３「印刷データ生成装置」拒絶査定不服審判事件〔平成１４年　４月　２日出願公開、特開２００２−　９６５３５〕について、次のとおり審決する。
【結　論】
　本件審判の請求は、成り立たない。
【理　由】
第１　手続の経緯
　本願は、平成１２年９月２１日の出願であって、平成１６年６月１５日付け及び平成２０年８月６日付けで手続補正がなされ、平成２０年９月１日付けで拒絶査定がなされ、これに対して、同年１０月９日付けで拒絶査定不服審判の請求がなされたものである。
　
第２　本願発明
　本願の請求項１及び２に係る発明は、平成２０年８月６日付けの手続補正により補正された明細書及び図面の記載からみて、明細書の特許請求の範囲の請求項１及び２に記載された事項によってそれぞれ特定されるものであるところ、その請求項１に係る発明（以下「本願発明」という。）は、次のとおりのものである。
　
「用紙上に画像を形成する記録装置と接続され、該記録装置に送るための印刷データを生成する装置において、
　印刷の態様を設定するための印刷モードの設定処理を行う手段と、
　設定された印刷モードに従って印刷データを生成して、前記記録装置に送る手段と、
　用紙の種類とインクの組合せに基づいて、予め設定すべき印刷条件の各設定値をモード設定条件情報として保存管理する手段と、を備え、
　前記印刷モードの設定処理を行う手段は、前記記録装置から用紙の種類を示す情報を取得し、かつ、前記記録装置から印刷に用いるインクを特定する情報を取得して、当該取得した用紙の種類を示す情報と、当該取得したインクを特定する情報とに基づいて、前記保存管理されるモード設定条件情報を参照して印刷モードの設定を行うことを特徴とする印刷データ生成装置。」
　
第３　引用刊行物及び引用発明
１　原査定の拒絶の理由に引用された、本願の出願前に頒布された刊行物である特開平１１−７５０００号公報（以下「引用例１」という。）には、以下の事項が図とともに記載されている。（下線は審決で付した。以下同じ。）
　
（１）「【特許請求の範囲】
【請求項１】　
接続された印刷装置に対して印刷用データを提供する情報処理装置であって
印刷装置で用いるプリント剤の種類、印刷装置で用いるプリント媒体の種類および印刷装置で印刷する画像の種類を指定する指定手段と
印刷装置で用いることができるプリント剤の種類、印刷装置で用いることができるプリント媒体の種類および印刷装置で印刷可能な画像の種類の組合せに画像処理および印刷制御に関するデータを対応させたテーブルを記憶する記憶手段と
前記指定手段によって指定されたプリント剤の種類、プリント媒体の種類および印刷する画像の種類の組合せに応じて、前記記憶手段のテーブルよりデータを得て画像処理情報および印刷制御情報を生成する生成手段と
該生成手段によって生成された画像処理情報に基づく画像データと印刷制御情報とを含む印刷用データを前記印刷装置に送信する送信手段とを備えた
情報処理装置
【請求項２】　
前記プリント剤の種類は、インクの種類に関する
請求項１に記載の情報処理装置
【請求項３】…（略）…
【請求項４】…（略）…
【請求項５】　
前記指定手段は
当該印刷装置から送られてくるインクジェットカートリッジの識別情報によってインクジェットカートリッジの種類を指定する
請求項２
に記載の情報処理装置
　
（２）「【００３０】図４において、用紙の種類メニュー２５では、印刷を行う用紙の種類を選択することができる。用紙の特性によりインクの最適な打ち込み量やプリンタが印刷開始前に用紙を引き込む量が異なるため、
ユーザに印刷を行う用紙の種類を選択させ
　
（３）上記（１）及び（２）から、引用例１には、次の発明（以下「引用発明１」という。）が記載されていると認められる。
　
「接続された印刷装置に対して印刷用データを提供する情報処理装置であって、
　印刷装置で用いるインクの種類、印刷装置で用いる用紙の種類および印刷装置で印刷する画像の種類を指定する指定手段であって、当該印刷装置から送られてくるインクジェットカートリッジの識別情報によってインクの種類を指定するとともに、ユーザに印刷を行う用紙の種類を選択させることによって用紙の種類を指定する指定手段と、
　印刷装置で用いることができるインクの種類、印刷装置で用いることができる用紙の種類および印刷装置で印刷可能な画像の種類の組合せに画像処理および印刷制御に関するデータを対応させたテーブルを記憶する記憶手段と、
　前記指定手段によって指定されたインクの種類、用紙の種類および印刷する画像の種類の組合せに応じて、前記記憶手段のテーブルよりデータを得て画像処理情報および印刷制御情報を生成する生成手段と、
　該生成手段によって生成された画像処理情報に基づく画像データと印刷制御情報とを含む印刷用データを前記印刷装置に送信する送信手段とを備えた情報処理装置。」
　
２　同じく原査定の拒絶の理由に引用された、本願の出願前に頒布された刊行物である特開平１１−２４０６２９号公報（以下「引用例２」という。）には、以下の事項が図とともに記載されている。
　
（１）「【請求項８】　
情報端未装置等に接続され、前記情報端末装置等のデータをプリントするプリンタであって、所定枚数のプリント用紙を収納し、プリント用紙に関する情報を記録した記録部を持つ用紙パックが着脱可能に装着される装着手段と、前記用紙パックが装着された際、前記記録部に記録された各情報を読み出す情報読み取り手段と、前記情報読み取り手段によって読み出された各情報を情報端末装置等に送信する情報送信手段とを備えた
プリンタ
　
（２）「【０１２３】また、
ホストＰＣ上のプリンタドライバソフトウエアは
プリント設定を紙質、サイズ等に合わせて最適なものに自動的に設定することも可能となる
　
（３）上記（１）及び（２）から、引用例２には、次の発明（以下「引用発明２」という。）が記載されていると認められる。
　
「情報端未装置等に接続され、前記情報端末装置等のデータをプリントするプリンタであって、
　所定枚数のプリント用紙を収納し、プリント用紙に関する情報を記録した記録部を持つ用紙パックが着脱可能に装着される装着手段と、
　前記用紙パックが装着された際、前記記録部に記録された各情報を読み出す情報読み取り手段と、
　前記情報読み取り手段によって読み出された各情報を情報端末装置等に送信する情報送信手段とを備え、
　前記情報端末装置等は、プリント設定を紙質等に合わせて最適なものに自動的に設定することが可能となる、
　プリンタ。」
　
第４　対比
　本願発明と引用発明１とを対比する。
１　引用発明１の「印刷用データ」、「印刷装置で用いることができるインクの種類、印刷装置で用いることができる用紙の種類および印刷装置で印刷可能な画像の種類の組合せに画像処理および印刷制御に関するデータを対応させたテーブルを記憶する記憶手段」、「『指定されたインクの種類、用紙の種類および印刷する画像の種類の組合せに応じて、前記記憶手段のテーブルよりデータを得』る」、「画像処理情報および印刷制御情報を生成する」及び「送信する」は、それぞれ、本願発明の「印刷データ」、「用紙の種類とインクの組合せに基づいて、予め設定すべき印刷条件の各設定値をモード設定条件情報として保存管理する手段」、「印刷モードの設定処理を行う」、「印刷の態様を設定する」及び「送る」に相当する。
　
２　引用発明１の印刷装置が、用紙上に画像を印刷することは明らかであるから、この「用紙上に画像を印刷する印刷装置」は、本願発明の「用紙上に画像を形成する記録装置」に相当する。
　
３　引用発明１の情報処理装置が、画像処理情報および印刷制御情報を生成する生成手段と、該生成手段によって生成された画像処理情報に基づく画像データと印刷制御情報とを含む印刷用データ（印刷データ）を印刷装置（記録装置）に送信する（送る）送信手段とを備え、接続された印刷装置に対して印刷用データを提供することから、引用発明１の「情報処理装置」は、本願発明の「印刷データ生成装置」すなわち「記録装置と接続され、該記録装置に送るための印刷データを生成する装置」に相当する。
　
４　引用発明１において、指定手段が、印刷装置で用いるインクの種類、印刷装置で用いる用紙の種類および印刷装置で印刷する画像の種類を指定し、かつ、生成手段が、指定手段によって指定されたインクの種類、用紙の種類および印刷する画像の種類の組合せに応じて、記憶手段のテーブルよりデータを得て（印刷モードの設定処理を行って）画像処理情報および印刷制御情報を生成する（印刷の態様を設定する）ことから、引用発明１の「指定手段」と「生成手段」を合わせたものは、本願発明の「印刷の態様を設定するための印刷モードの設定処理を行う手段」に相当する。
　
５　引用発明１の送信手段が、生成手段（上記４参照。）によって生成された画像処理情報に基づく画像データと印刷制御情報とを含む印刷用データ（印刷データ）を印刷装置（記録装置）に送信する（送る）ことと、引用発明１が、画像処理情報に基づく画像データと印刷制御情報とを含む前記印刷用データを生成する手段を備えることは明らかであることから、引用発明１の「送信手段」と「印刷用データを生成する手段」を合わせたものは、本願発明の「設定された印刷モードに従って印刷データを生成して、記録装置に送る手段」に相当する。
　
６　引用発明１の指定手段と生成手段（印刷モードの設定処理を行う手段）が、印刷装置（記録装置）から送られてくるインクジェットカートリッジの識別情報によってインクの種類を指定するとともに、ユーザに印刷を行う用紙の種類を選択させることによって用紙の種類を指定し、指定されたインクの種類、用紙の種類および印刷する画像の種類の組合せに応じて、記憶手段（保存管理する手段）のテーブルよりデータを得て（印刷モードの設定処理を行って）画像処理情報および印刷制御情報を生成する（印刷の態様を設定する）ことから、引用発明１の「印刷モードの設定処理を行う手段」と本願発明の「『記録装置から用紙の種類を示す情報を取得し、かつ、記録装置から印刷に用いるインクを特定する情報を取得して、当該取得した用紙の種類を示す情報と、当該取得したインクを特定する情報とに基づいて、保存管理されるモード設定条件情報を参照して印刷モードの設定を行う』印刷モードの設定処理を行う手段」とは、「用紙の種類を示す情報を取得し、かつ、記録装置から印刷に用いるインクを特定する情報を取得して、当該取得した用紙の種類を示す情報と、当該取得したインクを特定する情報とに基づいて、保存管理されるモード設定条件情報を参照して印刷モードの設定を行う」点で一致する。
　
７　上記１ないし６から、本願発明と引用発明１とは、
「用紙上に画像を形成する記録装置と接続され、該記録装置に送るための印刷データを生成する装置において、
　印刷の態様を設定するための印刷モードの設定処理を行う手段と、
　設定された印刷モードに従って印刷データを生成して、前記記録装置に送る手段と、
　用紙の種類とインクの組合せに基づいて、予め設定すべき印刷条件の各設定値をモード設定条件情報として保存管理する手段と、を備え、
　前記印刷モードの設定処理を行う手段は、用紙の種類を示す情報を取得し、かつ、前記記録装置から印刷に用いるインクを特定する情報を取得して、当該取得した用紙の種類を示す情報と、当該取得したインクを特定する情報とに基づいて、前記保存管理されるモード設定条件情報を参照して印刷モードの設定を行う印刷データ生成装置。」
である点で一致し、次の点で相違する。
　
相違点：
　前記用紙の種類を示す情報の取得先が、本願発明では、「記録装置」であるのに対して、引用発明１では、ユーザである点。
　
第５　判断
　上記相違点について検討する。
１　相違点について
（１）引用発明２は、「情報端未装置等に接続され、前記情報端末装置等のデータをプリントするプリンタ」に、「所定枚数のプリント用紙を収納し、プリント用紙に関する情報を記録した記録部を持つ用紙パックが着脱可能に装着される装着手段」と、「前記用紙パックが装着された際、前記記録部に記録された各情報を読み出す情報読み取り手段」と、「前記情報読み取り手段によって読み出された各情報を情報端末装置等に送信する情報送信手段」とを備えることにより、このプリンタに接続される情報端末装置等を、「プリント設定を紙質等に合わせて最適なものに自動的に設定することが可能」なものとするものである。
（２）上記（１）から、印刷装置に接続され、用紙の種類に応じた画像処理情報および印刷制御情報を生成する情報処理装置である引用発明１において、用紙の種類に応じた画像処理情報および印刷制御情報の生成を自動的に行うために、引用発明１の情報処理装置に接続された印刷装置を、所定枚数の用紙を収納し、用紙に関する情報を記録した記録部を持つ用紙パックが着脱可能に装着される装着手段と、前記用紙パックが装着された際、前記記録部に記録された各情報を読み出す情報読み取り手段と、前記情報読み取り手段によって読み出された各情報を情報処理装置に送信する情報送信手段とを備えたものし、上記相違点に係る本願発明の構成となすことは、当業者が引用発明２に基づいて容易になし得たことである。
　
２　効果について
　本願発明が奏する効果は、引用発明１及び引用発明２がそれぞれ奏する効果から当業者が予測し得たものである。
　
３　まとめ
　したがって、本願発明は、当業者が、引用例１に記載された発明及び引用例２に記載された発明に基づいて容易に発明をすることができたものである。
　
第６　むすび
　以上のとおり、本願発明は、当業者が、引用例１に記載された発明及び引用例２に記載された発明に基づいて容易に発明をすることができたものであるから、特許法第２９条第２項の規定により特許を受けることができない。
　よって、結論のとおり審決する。